(57)【要約】【課題】  建築物の既存スラブを補強する場合に、外ケーブルがスラブの下方に配置されるのを避け、天井の仕上が制約を受けたり、天井の有効高さが制約される等の影響のないスラブの補強技術を提供する。【解決手段】  スラブ１００の中間部に、スラブを引上げる支持部材１０を設け、これに偏向具を取り付け、外ケーブル２０をスラブ１００の上方に配線・緊張し、構造体１１０を貫通して構造体の背面に固定した定着装置３０にこの外ケーブル２０の両端を定着してスラブ１００を補強する。【選択図】        図１
2005133390.tif 000002
【特許請求の範囲】
【請求項１】
建築物の既存スラブを補強するに当たり、スラブの中間部にスラブ支持部材を設け、該支持部材に偏向具を取り付け、スラブ上方に該偏向具を介して１スパン又は複数スパンに亘って外ケーブルを配線・緊張し、該外ケーブルの両端をスラブ端部の部材に定着することを特徴とするスラブの補強方法。
【請求項２】
前記支持部材は、スラブを上下に貫通する鋼材とスラブ下面に設けた補強部材とからなることを特徴とする請求項１記載のスラブの補強方法。
【請求項３】
前記外ケーブルの両端は、構造体を貫通し、構造体の背面に固定した定着装置に定着したことを特徴とする請求項１又は２記載のスラブの補強方法。
【請求項４】
前記外ケーブルを床仕上げの中に収納したことを特徴とする請求項１〜３の何れかに記載のスラブの補強方法。
【発明の詳細な説明】
【技術分野】
【０００１】
本発明は、例えば老朽化した既存建築物のスラブであって、建て替えるまでには至っておらず、補強により機能を改善することができる程度の老朽度のスラブを補強するスラブの補強方法に関する。
【背景技術】
【０００２】
建築物のスラブを外ケーブルによって補強する技術として、従来、図８に模式的に例示するように、スラブの下面にスラブを支持する支持部材及び偏向具を設け、この支持部材及び偏向具をスラブ下に配設した外ケーブルで懸垂支持する技術が知られている。このような技術は、梁の補強技術としても用いられている。
【０００３】
また、図７に示すように、スラブを上下に貫通する斜めの孔を開口し、この孔を通ってスラブの下面を支持し上面に抜ける外ケーブルを配設し、外ケーブルでスラブを補強する技術がある（例えば、非特許文献１参照。）。
【０００４】
図７や図８に示すようなスラブの補強では、外ケーブルがスラブの下方に配置されるため、天井の仕上が制約を受けたり、天井の有効高さが制約される等の影響が生じる。また、施工時における下階への影響度も大きい。
【非特許文献１】「建築技術」  １９８８，０９  ｐ．１８９〜１９６
【発明の開示】
【発明が解決しようとする課題】
【０００５】
本発明は外ケーブルを用いるスラブの補強に係る技術であって、従来と異なり、外ケーブルがスラブの下方に配置されるのを避け、スラブ下面の天井の仕上が制約を受けたり、天井の有効高さが制約される等の影響のないスラブの補強技術を提供することを目的とするものである。
【０００６】
本発明は例えば老朽化した既存建築物のスラブであって、建て替えるまでには至っていないが、補強により機能を改善することができる程度の老朽度のスラブを外ケーブルによって補強するスラブの補強方法を提供する。
【課題を解決するための手段】
【０００７】
本発明は、上記問題点を解決するためになされたもので、建築物の既存スラブを補強するに当たり、スラブの中間部にスラブ支持部材を設け、該支持部材に偏向具を取り付け、スラブ上方に該偏向具を介して１スパン又は複数スパンに亘って外ケーブルを配線・緊張し、該外ケーブルの両端をスラブ端部の部材に定着することを特徴とするスラブの補強方法である。
【０００８】
本発明ではスラブ中間部に支持部材を設け、これに偏向具を取り付ける。偏向具は外ケーブルの軸方向が変向する部分に当接する部材である。
【０００９】
スラブに支持部材を取り付ける位置は、外ケーブル配線方向のスラブの中央部、又は外ケーブルの配線に対して適切な２位置とすることが好ましい。２位置に設ける支持部材の取付け間隔は、スラブの構造、スラブの変形量、配線形状等に応じて定めるとよい。
【００１０】
前記支持部材は、スラブを上下に貫通する鋼材（例えば通しボルト）と、スラブ下面に設けた鋼板などの補強部材とから構成すれば、簡単にスラブへの取付強度の高い支持部材とすることができ、好適である。また、スラブ下面に大きな突出物や部材等を設ける必要がなく、簡易な構造で、外ケーブルによるスラブ補強をすることができる。例えば、スラブを上下に貫通する数本の通しボルトの下端に、スラブを支持する鋼板をナットで取付けるようにするとよい。
【００１１】
また、前記外ケーブルの両端は、スラブ端部の構造体等に定着すればよいが、構造体を貫通して構造体の背面に配設した定着装置に定着すれば、最も適切な定着部材を設計することができ好適である。なお、複数スパンに亘る連続ケーブルとしてもよい。
【００１２】
前記外ケーブルを床仕上げ（増モルタル等）によって生ずる付加荷重を考慮した荷重に対応する外ケーブルとし、床仕上げの中に配置すれば、外ケーブルを床仕上げの中に配設することができ、邪魔にならないようにすることができると共に、耐火施策上も好ましい。
【発明の効果】
【００１３】
本発明の外ケーブルによるスラブの補強方法は、以上のように外ケーブルをスラブ上面に配置し、スラブを吊り上げるように外ケーブルを配線することとしたのでスラブ下面側に突設する部材がなくなり、天井の有効高さの制約を生ずることがなく、また、外ケーブルを床仕上げ中に埋設することが容易である。従って、施工上も階下の居住者が居つきのまま施工が可能となるなど、優れた効果を奏し、寄与するところが大である。
【発明を実施するための最良の形態】
【００１４】
以下図面を参照して本発明の実施の形態を説明する。
【００１５】
図７、図８の従来技術と対比して図６に本発明の実施例の模式図を示した。図７では、スラブ１００に斜めの孔１０２を穿孔し、この孔１０２を通って外ケーブル２０にスラブ１００の下面を支持させ、矢印４０で示すようにスラブを懸垂するように外ケーブル２０を張設する。図８では、スラブ１００の下面に突設する支持部材５０を設け、これに偏向具を取り付けて矢印５１で示すようにスラブ１００を支持して外ケーブル２０でスラブを懸垂する。
【００１６】
これに対して本発明では図６に示すように、スラブ１００の上面に支持部材１０を設け、これに偏向具を取り付け矢印２１に示すように外ケーブル２０でスラブを懸垂する。
【００１７】
図１は本発明の一実施例の外ケーブルによるスラブの補強方法を示す側面図、図２はその平面図である。補強すべきスラブ１００の中間部の上面にスラブを引き上げる支持部材１０を設け、この支持部材１０に偏向具を取り付けスラブ１００の上方に外ケーブル２０を配線・緊張し、外ケーブル２０の両端部を定着部３０に定着する。定着部３０はこの例では、スラブの両端の構造体１１０の背面に設けたものを示している。支持部材１０は、補強すべきスラブ１００の状況に応じて、スラブ１００の中央部１箇所又はスラブの中間部２箇所に設ける。また、外ケーブルの本数は、補強すべきスラブの実情に応じて定めるとよい。
【００１８】
図１の部分拡大図を図３に示した。支持部材１０はスラブ１００を上下に貫通する鋼材１１の下端にスラブを支持する鋼板１２をナット１３によって取付け、鋼材１１の上端に受け板１４を取付け偏向具１６をその下面に取り付けたものとし、外ケーブル２０の端部は構造体１１０の背面に定着部３０を設けて定着している。スラブ１００上面にはモルタル等による床仕上げ１０１を施工している。
【００１９】
支持部材１０の一例を図４に示した。図４（ａ）は側面図、図４（ｂ）は正面図、図４（ｃ）は、偏向具１６の下面図である。４本の高張力鋼材１１の下端にスラブの下面を支持する鋼板１２をナット１３によって取付けている。スラブ１００の上面に位置する鋼板１７によって高張力鋼材１１の上下位置決めがなされる。高張力鋼材１１の上端に偏向具１６を下面に取り付けた受け板１４をナット１５によって固定する。１９は鋼材１１の通る孔である。偏向具１６は外ケーブルを受ける溝１８を備えている。支持部材１０はこの実施例に限るものではないが、この構造は、簡単な構造で、スラブ下面に大きく突出するものがなく、スラブを支持する力が大きく、好適である。
【００２０】
図５に一例として定着部３０の実施例の水平断面図を示した。外ケーブル２０の端部にねじスリーブ２２を取付け、このねじスリーブ２２を定着部３０に定着する。定着部３０は、構造体１１０の裏面に補強コンクリート３１を形成しその背面に定着体３２を配設し、スリーブ２２の外周に設けたねじにナット３４を螺合し、ナット３４を定着体３２の背面に圧着させて、外ケーブル２０の端部を定着する。定着後保護キャップ３５を被せて保護する。
【実施例１】
【００２１】
短辺約３６００ｍｍ×長辺約７２００ｍｍ×厚さ１１０ｍｍの既存スラブ１００の性能を改善するため、図１に示すように上面に支持部材１０を設け、これに外ケーブル２０を配置しプレストレスを導入して補強した。スラブ１００の上面に床仕上げとして厚さ約４０ｍｍのモルタルを増打ちし、スラブ上面を水平にすると共にスラブ１００の質量増加による遮音性能の向上を図った。
【００２２】
従来のように、スラブ下面に偏向具を設けたり、外ケーブル２０をスラブ下面に露出させたりしないので、本実施例では、階下の居住者が居つきのままで適切なスラブ補強を施工することができる。
【図面の簡単な説明】
【００２３】
【図１】実施例の側面図である。
【図２】実施例の平面図である。
【図３】実施例の部分拡大側面図である。
【図４（ａ）】支持部材の側面図である。
【図４（ｂ）】支持部材の正面図である。
【図４（ｃ）】図４（ａ）のＡ−Ａ矢視図である。
【図５】定着部の断面図である。
【図６】偏向具の下面図である。
【図７】従来例の模式図である。
【図８】従来例の模式図である。
【符号の説明】
【００２４】
１０    支持部材
１１    鋼材
１２    鋼板
１３    ナット
１４    受け板
１５    ナット
１６    偏向具
１７    鋼板
１８    溝
１９    孔
２０    外ケーブル
２１    矢印
２２    ねじスリーブ
３０    定着部
３１    補強コンクリート
３２    定着体
３４    ナット
３５    保護キャップ
４０    矢印
５０    偏向具
５１    矢印
１００    スラブ
１０１    床仕上げ
１０２    斜めの孔
１１０    構造体
【図１】
2005133390.tif 000003
【図２】
2005133390.tif 000004
【図３】
2005133390.tif 000005
【図４（ａ）】
2005133390.tif 000006
【図４（ｂ）】
2005133390.tif 000007
【図４（ｃ）】
2005133390.tif 000008
【図５】
2005133390.tif 000009
【図６】
2005133390.tif 000010
【図７】
2005133390.tif 000011
【図８】
2005133390.tif 000012